(57)【要約】【課題】単純な構造ながらしっかりと組立て状態を維持することができる、安価な組立て式ファイルボックスを提供する。【解決手段】一つの平板上に底板１１と、前側板１２及び後側板１３と、左内側板１４及び右内側板１５と、左外側板１６及び右外側板１７と、左上折曲片１８及び右上折曲片１９と、左底折曲片２０及び右底折曲片２１と、が形成され、組立て時に、前側板１２及び後側板１３、左内側板１４及び右内側板１５、左外側板１６及び右外側板１７、左底折曲片２０及び右底折曲片２１は、折り曲げ線に沿って直角に内側に折り曲げられ、左底折曲片２０、右底折曲片２１は、底板１１と左内側板１４、底板１１と右内側板１５とで挟まれ、左上折曲片１８は、左外側板１６とで左内側板１４を挟み込むように、また右上折曲片１９は、右外側板１７とで右内側板１５を挟み込むように内側に１８０°折り曲げられる。【選択図】図１
0003199371.tif 000002
【実用新案登録請求の範囲】
【請求項１】
組立て、解体、再組立てが可能な組立て式ファイルボックスであって、
一つの平板上に底板と、
前記底板の前辺及び後辺に各々折り曲げ線を介して接続される前側板及び後側板と、
前記前側板の左辺及び右辺に各々折り曲げ線を介して接続される左内側板及び右内側板と、
前記後側板の左辺及び右辺に各々折り曲げ線を介して接続される左外側板及び右外側板と、
前記左外側板及び右外側板の各々後辺に折り曲げ線を介して接続される左上折曲片及び右上折曲片と、
前記左外側板及び右外側板の各々前辺に折り曲げ線を介して接続される左底折曲片及び右底折曲片と、が形成され、
組立て時に、前記前側板及び後側板、左内側板及び右内側板、左外側板及び右外側板、左底折曲片及び右底折曲片は、各々接続する板材に対し、折り曲げ線に沿って直角に折り曲げられ、前記左底折曲片、前記右底折曲片は、各々前記底板と前記左内側板、前記底板と前記右内側板とで挟まれ、前記左上折曲片は、前記左外側板とで前記左内側板を挟み込むように１８０°折り曲げられ、前記右上折曲片は、前記右外側板とで前記右内側板を挟み込むように１８０°折り曲げられ、
前記左底折曲片、前記右底折曲片及び前記左上折曲片、前記右上折曲片が組立て状態を保持するように作用することを特徴とする組立て式ファイルボックス。
【請求項２】
前記平板がダンボールであり、
前記前側板及び後側板の左辺及び右辺が、ダンボールの流れ方向に直交することを特徴とする請求項１に記載の組立て式ファイルボックス。
【請求項３】
さらに前記後側板の後辺に折り曲げ線を介して接続される中央折曲片を有し、
前記左内側板及び右内側板の前辺に凸状の差込片が、前記左外側板と左上折曲片とを結ぶ折り曲げ線上及び前記右外側板と右上折曲片とを結ぶ折り曲げ線上に前記差込片が嵌り込むスリット孔が設けられ、組立て時に前記差込片が前記スリット孔に差し込まれ、
前記中央折曲片には左辺及び右辺に突起片が設けられ、前記左上折曲片の右辺の中央から後辺にかけて前記突起片が嵌る凹部が設けられ、前記左内側板の左辺の前辺寄りに前記突起片が嵌る凹部が設けられ、前記右上折曲片の左辺の中央から後辺にかけて前記突起片が嵌る凹部が設けられ、前記右内側板の右辺の前辺寄りに前記突起片が嵌る凹部が設けられ、前記中央折曲片は、組立て時に１８０°折り曲げられ、前記突起片が、前記凹部に嵌り込むことを特徴とする請求項１又は請求項２に記載の組立て式ファイルボックス。
【請求項４】
前記前側板及び後側板は、右辺の長さが左辺に比較して短く、前記前側板及び後側板の左辺に連結する前記左内側板及び前記左外側板の長さは、前記前側板及び後側板の右辺に連結する前記右内側板及び前記右外側板に比較して長く、
前記左上折曲片の左辺に凸状の差込片が設けられ、前記前側板と前記左内側板とを結ぶ折り曲げ線に沿うように前記差込片が嵌り込むスリット孔が設けられ、
前記左上折曲片の右辺に凸状の差込片が設けられ、前記後側板と前記左外側板とを結ぶ折り曲げ線に沿うように前記差込片が嵌り込むスリット孔が設けられ、
前記右上折曲片の後辺に凸状の差込片が設けられ、前記右外側板と右底折曲片とを結ぶ折り曲げ線に沿うように前記差込片が嵌り込むスリット孔が設けられ、
組立て時に前記差込片が前記スリット孔に差し込まれることを特徴とする請求項１又は請求項２に記載の組立て式ファイルボックス。
【考案の詳細な説明】
【技術分野】
【０００１】
本考案は、紙あるいはダンボールを使用した組立て式のファイルボックスに関する。
【背景技術】
【０００２】
周知のようにファイルを収納するファイルボックスは、種々の形状、素材の物が開発・販売されている。ファイルボックスの多くは、工場で最終形態に整えられ出荷されるが、紙あるいはダンボールを使用した組立て式のファイルボックスもある（例えば、特許文献１、特許文献２、非特許文献１参照）。
【０００３】
非特許文献１に記載の組立て式のファイルボックスは、ファイルボックス本体を形成する４つの側面部の下端に各々垂直に折曲可能に延設された底部形成片を有し、底部はその一部のみを貼付し、底部を含め全体が折り畳み可能に構成されている。
【０００４】
特許文献１には、底部を貼付する組立て式のファイルボックスは、貼付工程が必要となり製造コストが嵩むとし、ファイルボックス本体を形成する４つの側面部の下端に各々垂直に折曲可能に延設された底部形成片を、貼付、接着することなく互いに接合し底部を形成する組立て式ファイルボックスが記載されている。
【０００５】
紙あるいはダンボールを使用した組立て式のファイルボックスに類似する製品としては、組立て式の紙製収納箱がある（例えば特許文献２参照）。
【先行技術文献】
【特許文献】
【０００６】
【特許文献１】特開２００６−１５１４３１号公報
【特許文献２】特開２００９−２３４６５３号公報
【非特許文献】
【０００７】
【非特許文献１】https://www.muji.net/store/cmdty/section/S1070103
【考案の概要】
【考案が解決しようとする課題】
【０００８】
特許文献１に記載の組立て式ファイルボックスは、貼付、接着することなく底部形成片を互いに接合し底部を形成することができるが、底部形成片の形状が複雑で、スリット及び係止片の数も多く加工費がかさむ。
【０００９】
特許文献２に記載の組立て式の紙製収納箱は、形状が単純で加工が容易であるが、天板は単に差し込まれているだけであるので、開口面が上部となるように立てて使用すると天板が側面となり、使用中に側面が開き組立て状態が維持できなくなる恐れがある。
【００１０】
本考案の目的は、単純な構造ながらしっかりと組立て状態を維持することができる、安価な組立て式ファイルボックスを提供することである。
【課題を解決するための手段】
【００１１】
本考案は、組立て、解体、再組立てが可能な組立て式ファイルボックスであって、一つの平板上に底板と、前記底板の前辺及び後辺に各々折り曲げ線を介して接続される前側板及び後側板と、前記前側板の左辺及び右辺に各々折り曲げ線を介して接続される左内側板及び右内側板と、前記後側板の左辺及び右辺に各々折り曲げ線を介して接続される左外側板及び右外側板と、前記左外側板及び右外側板の各々後辺に折り曲げ線を介して接続される左上折曲片及び右上折曲片と、前記左外側板及び右外側板の各々前辺に折り曲げ線を介して接続される左底折曲片及び右底折曲片と、が形成され、組立て時に、前記前側板及び後側板、左内側板及び右内側板、左外側板及び右外側板、左底折曲片及び右底折曲片は、各々接続する板材に対し、折り曲げ線に沿って直角に折り曲げられ、前記左底折曲片、前記右底折曲片は、各々前記底板と前記左内側板、前記底板と前記右内側板とで挟まれ、前記左上折曲片は、前記左外側板とで前記左内側板を挟み込むように１８０°折り曲げられ、前記右上折曲片は、前記右外側板とで前記右内側板を挟み込むように１８０°折り曲げられ、前記左底折曲片、前記右底折曲片及び前記左上折曲片、前記右上折曲片が組立て状態を保持するように作用することを特徴とする組立て式ファイルボックスである。
【００１２】
本考案の組立て式ファイルボックスは、左底折曲片、右底折曲片が各々底板と左内側板、底板と右内側板とで挟まれ、左上折曲片が左外側板とで左内側板を挟み込むように１８０°折り曲げられ、右上折曲片が右外側板とで右内側板を挟み込むように１８０°折り曲げられ、左底折曲片、右底折曲片及び左上折曲片、右上折曲片が組立て状態を保持するように作用するので、組立て状態を維持することができる。また本考案の組立て式ファイルボックスは、各部の形状がシンプルで構造が単純なため組立てが容易であり、また加工も容易で安価に製造することができる。
【００１３】
本考案の組立て式ファイルボックスにおいて、前記平板がダンボールであり、前記前側板及び後側板の左辺及び右辺が、ダンボールの流れ方向に直交することを特徴とする。
【００１４】
本考案によれば、前側板及び後側板の左辺及び右辺が、ダンボールの流れ方向に直交するように配置されているので変形し難い。このため貼付、接着することなく組立て状態を安定的に維持することができる。
【００１５】
本考案の組立て式ファイルボックスは、さらに前記後側板の後辺に折り曲げ線を介して接続される中央折曲片を有し、前記左内側板及び右内側板の前辺に凸状の差込片が、前記左外側板と左上折曲片とを結ぶ折り曲げ線上及び前記右外側板と右上折曲片とを結ぶ折り曲げ線上に前記差込片が嵌り込むスリット孔が設けられ、組立て時に前記差込片が前記スリット孔に差し込まれ、前記中央折曲片には左辺及び右辺に突起片が設けられ、前記左上折曲片の右辺の中央から後辺にかけて前記突起片が嵌る凹部が設けられ、前記左内側板の左辺の前辺寄りに前記突起片が嵌る凹部が設けられ、前記右上折曲片の左辺の中央から後辺にかけて前記突起片が嵌る凹部が設けられ、前記右内側板の右辺の前辺寄りに前記突起片が嵌る凹部が設けられ、前記中央折曲片は、組立て時に１８０°折り曲げられ、前記突起片が、前記凹部に嵌り込むことを特徴とする。
【００１６】
また本考案の組立て式ファイルボックスは、前記前側板及び後側板は、右辺の長さが左辺に比較して短く、前記前側板及び後側板の左辺に連結する前記左内側板及び前記左外側板の長さは、前記前側板及び後側板の右辺に連結する前記右内側板及び前記右外側板に比較して長く、前記左上折曲片の左辺に凸状の差込片が設けられ、前記前側板と前記左内側板とを結ぶ折り曲げ線に沿うように前記差込片が嵌り込むスリット孔が設けられ、前記左上折曲片の右辺に凸状の差込片が設けられ、前記後側板と前記左外側板とを結ぶ折り曲げ線に沿うように前記差込片が嵌り込むスリット孔が設けられ、前記右上折曲片の後辺に凸状の差込片が設けられ、前記右外側板と右底折曲片とを結ぶ折り曲げ線に沿うように前記差込片が嵌り込むスリット孔が設けられ、組立て時に前記差込片が前記スリット孔に差し込まれることを特徴とする。
【００１７】
本考案の組立て式ファイルボックスは、さらに差込片とそれが嵌り込むスリット孔、突起片とそれが嵌り込む凹部を備えるので、組立て状態を確実に維持することができる。一方で、ここに設けられる差込片、スリット孔、突起片及び凹部の数は、必要最小限に留められているため組立てが容易であり、また安価に製造することができる。
【考案の効果】
【００１８】
本考案によれば、単純な構造ながらしっかりと組立て状態を維持することができる、安価な組立て式ファイルボックスを提供することができる。
【図面の簡単な説明】
【００１９】
【図１】本考案の第１実施形態の組立て式ファイルボックス１の展開図である。
【図２】本考案の第１実施形態の組立て式ファイルボックス１の組立て過程を示す斜視図である。
【図３】本考案の第１実施形態の組立て式ファイルボックス１の組立て過程を示す斜視図である。
【図４】本考案の第１実施形態の組立て式ファイルボックス１の組立て完了後の斜視図である。
【図５】本考案の第２実施形態の組立て式ファイルボックス２の展開図である。
【図６】本考案の第２実施形態の組立て式ファイルボックス２の組立て過程を示す斜視図である。
【図７】本考案の第２実施形態の組立て式ファイルボックス２の組立て過程を示す斜視図である。
【図８】本考案の第２実施形態の組立て式ファイルボックス２の組立て完了後の斜視図である。
【考案を実施するための形態】
【００２０】
図１は、本考案の第１実施形態の組立て式ファイルボックス１の展開図、図２及び図３は、組立て式ファイルボックス１の組立て過程を示す斜視図、図４は、組立て式ファイルボックス１の組立て完了後の斜視図である。
【００２１】
本考案の第１実施形態の組立て式ファイルボックス１は、組立て、解体、再組立てが可能な組立て式ファイルボックスである。組立て式ファイルボックス１は、展開した状態で一つの平板上に、横長矩形状の底板１１と、横長矩形状の前側板１２及び後側板１３と、縦長矩形状の左内側板１４及び右内側板１５と、縦長矩形状の左外側板１６及び右外側板１７と、略正方形状の左上折曲片１８及び右上折曲片１９と、略正方形状の左底折曲片２０及び右底折曲片２１と、横長矩形状の中央折曲片２２とが形成されている。
【００２２】
組立て式ファイルボックス１の素材は、特に限定されるものではないが、後述のように複数の折り曲げ線を備えるのでダンボール、厚手の紙を好適に使用することができる。特にダンボールは、軽く、強度があり、安価であるので、組立て式ファイルボックス１の素材として好ましい。組立て式ファイルボックス１の素材にダンボールを使用する場合は、強度の点から、ダンボールの流れ方向を前側板１２及び後側板１３の左辺及び右辺と直交させるように使用することが好ましい。これについては第２実施形態の組立て式ファイルボックス２についても同じである。
【００２３】
前側板１２は、底板１１の前辺に折り曲げ線６１を介して接続され、後側板１３は、底板１１の後辺に折り曲げ線６２を介して接続されている。左内側板１４は、前側板１２の左辺に折り曲げ線６３を介して接続され、右内側板１５は、前側板１２の右辺に折り曲げ線６４を介して接続されている。左外側板１６は、後側板１３の左辺に折り曲げ線６５を介して接続され、右外側板１７は、後側板１３の右辺に折り曲げ線６６を介して接続されている。
【００２４】
左上折曲片１８は、左外側板１６の後辺に折り曲げ線６７を介して接続され、右上折曲片１９は、右外側板１７の後辺に折り曲げ線６８を介して接続されている。また左底折曲片２０は、左外側板１６の前辺に折り曲げ線６９を介して接続され、右底折曲片２１は、右外側板１７の前辺に折り曲げ線７０を介して接続されている。中央折曲片２２は、後側板１３の後辺に折り曲げ線７１を介して接続されている。
【００２５】
左内側板１４及び右内側板１５の前辺にはそれぞれ凸状の差込片３１、３２が設けられている。左外側板１６と左上折曲片１８とを結ぶ折り曲げ線６７上には、左内側板１４に設けられた差込片３１が嵌り込むスリット孔３３が、右外側板１７と右上折曲片１９とを結ぶ折り曲げ線６８上には、右内側板１５に設けられた差込片３２が嵌り込むスリット孔３４が設けられている。
【００２６】
中央折曲片２２は、左辺の中央から後辺にかけて突起片３５を有し、同じく右辺の中央から後辺にかけて突起片３６を有する。一方、左上折曲片１８の右辺の中央から後辺にかけて突起片３５が嵌る凹部３７が、さらに左内側板１４の左辺の前辺寄りに突起片３５が嵌る凹部３８が設けられている。同様に、右上折曲片１９の左辺の中央から後辺にかけて突起片３６が嵌る凹部３９が、さらに右内側板１５の右辺の前辺寄りに突起片３６が嵌る凹部４０が設けられている。
【００２７】
前側板１１の前辺中央部には、内容物を確認するための凹部５７が設けれている。また後側板１３の後辺寄りの中央部には、取っ手となる長穴５１が、同じく中央折曲片２２の中央部に取っ手となる長穴５２が設けられている。二つの長穴５１、５２は、組立て式ファイルボックス１を組立てた際に、重なり合う位置に設けられている。
【００２８】
右外側板１７の前辺寄りの中央部には、指をかけて組立て式ファイルボックス１を引き寄せるための円孔５３が、同じく右内側板１５の後辺寄りの中央部にも指をかけて組立て式ファイルボックス１を引き寄せるための円孔５４が設けられている。二つの円孔５３、５４は、組立て式ファイルボックス１を組立てた際に、重なり合う位置に設けられている。
【００２９】
底板１１の左辺と左底折曲片２０との間、底板１１の右辺と右底折曲片２１との間、左内側板１４の後辺と左底折曲片２０の前辺との間、右内側板１５の後辺と右底折曲片２１の前辺との間、中央折曲片２２の左辺と左上折曲片１８の右辺との間、中央折曲片２２の右辺と右上折曲片１９の左辺との間には、組立て式ファイルボックス１を組立てる際の重ね代を考慮し、素材の厚さと同程度の隙間が設けられている。また中央折曲片２２と後側板１３とを結ぶ折り曲げ線７１上には、折り曲げを容易にするためのスリット状の切れ込み５５、５６が設けられている。
【００３０】
次に、組立て式ファイルボックス１の組立てる手順を説明する。
左底折曲片２０を左外側板１６と結ぶ折り曲げ線６９を起点に直角に折り曲げる。同様に右底折曲片２１を右外側板１７と結ぶ折り曲げ線７０を起点に直角に折り曲げる。このとき左底折曲片２０と右底折曲片２１とは同じ方向に折り曲げる。
【００３１】
同様に、後側板１３を底板１１と結ぶ折り曲げ線６２を起点に、左外側板１６を後側板１３と結ぶ折り曲げ線６５を起点に、右外側板１７を後側板１３と結ぶ折り曲げ線６６を起点に、それぞれ内側に直角に折り曲げる。このとき左底屈曲片２０及び右底折曲片２１が底板１１の上に載るようにする（図２参照）。
【００３２】
続いて、左内側板１４を前側板１２と結ぶ折り曲げ線６３を起点に、右内側板１５を前側板１２と結ぶ折り曲げ線６４を起点に、前側板１２を底板１１と結ぶ折り曲げ線６１を起点に、それぞれ内側に直角に折り曲げる。このとき左内側板１４が左底折曲片２０の上に載り、かつ左外側板１６の内側になるようにする。同様に右内側板１５が右底折曲片２１の上に載り、かつ右外側板１７の内側になるようにする（図３参照）。
【００３３】
続いて左上折曲片１８を左外側板１６と結ぶ折り曲げ線６７を起点に、内側に１８０°折り曲げる。これにより左内側板１４の凸状の差込片３１が、折り曲げ線６７上に設けられたスリット孔３３に嵌り込む。同様に、右上折曲片１９を右外側板１７と結ぶ折り曲げ線６８を起点に、内側に１８０°に折り曲げる。これにより右内側板１５の凸状の差込片３２が、折り曲げ線６８上に設けられたスリット孔３４に嵌り込む。
【００３４】
最後に中央折曲片２２を後側板１３と結ぶ折り曲げ線７１を起点に、内側に１８０°折り曲げる。これにより中央折曲片２２の左の突起片３５が、左上折曲片１８に設けられた凹部３７及び左内側板１４の凹部３８に、中央折曲片２２の右の突起片３６が、右上折曲片１９に設けられた凹部３９及び右内側板１５の凹部４０に嵌り込む。
【００３５】
以上の要領で組立てられた組立て式ファイルボックス１は、左底折曲片２０及び右底折曲片２１を各々、底板１１と左内側板１４、底板１１と右内側板１５とで挟むことで、左外側板１６及び右外側板１７が開くことを防止する。また左内側板１４を左上折曲片１８と左外側板１６とで挟み、右内側板１５を右上折曲片１９と右外側板１７とで挟むことで左内側板１４及び右内側板１５が開くことを防止する。以上のように左底折曲片２０、右底折曲片２１及び左上折曲片１８、右上折曲片１９が組立て状態を保持するように作用するので、各部を接着することなく組立て状態を維持することができる。
【００３６】
また本組立て式ファイルボックス１は、さらに左内側板１４に設けられた差込片３１がスリット孔３３に嵌り込み、右内側板１５に設けられた差込片３２がスリット孔３４に嵌り込み、中央折曲片２２の左右の突起片３５、３６が凹部３７、３８、３９、４０に嵌り込むことで組立て状態を確実に維持することができる。
【００３７】
本組立て式ファイルボックス１は、各部の形状がシンプルで構造が単純であり、さらに差込片、スリット孔、突起片及び凹部の数も必要最小限に留められているため組立てが容易であり、また加工が容易で安価に製造することができる。
【００３８】
図５は、本考案の第２実施形態の組立て式ファイルボックス２の展開図、図６及び図７は、組立て式ファイルボックス２の組立て過程を示す斜視図、図８は、組立て式ファイルボックス２の組立て完了後の斜視図である。図１から図４に示す本考案の第１実施形態の組立て式ファイルボックス１と同一の構成には、同一の符号を付して説明を省略する。
【００３９】
本考案の第２実施形態の組立て式ファイルボックス２は、組立て式ファイルボックス１と同様に、組立て、解体、再組立てが可能な組立て式ファイルボックスである。組立て式ファイルボックス２は、組立て式ファイルボックス１と比較して、前側板１２、後側板１３等の形状が異なり、さらに中央折曲片２２を備えないが、基本的な構成は、組立て式ファイルボックス１と同じである。組立て式ファイルボックス２の素材も組立て式ファイルボックス１の素材と同様に考えることができる。
【００４０】
組立て式ファイルボックス２は、展開した状態で一つの平板上に、横長矩形状の底板１１と、略正方形の前側の一部を斜めに切り落とした形状からなる前側板１２及び略正方形の後側の一部を前側板１２とは逆方向に斜めに切り落とした形状からなる後側板１３と、縦長矩形状の左内側板１４及び略正方形状の右内側板１５と、縦長矩形状の左外側板１６及び略正方形状の右外側板１７と、略矩形形状の左上折曲片１８及び略正方形状の右上折曲片１９と、略正方形状の左底折曲片２０及び右底折曲片２１とが形成されている。
【００４１】
前側板１２は、前辺の左辺寄り側から右辺に向う部分が傾斜面となっており、前側板１２は、右辺の長さが左辺に比較して短くなっている。同様に、後側板１３は、後辺の左辺寄り側から右辺に向う部分が傾斜面となっており、後側板１３は、右辺の長さが左辺に比較して短くなっている。これに伴い右内側板１５及び右外側板１７は、左内側板１４及び左外側板１６に比較して前後方向の長さが短くなっている。
【００４２】
左上折曲片１８は、左辺の中央から後辺にかけて差込片４１を有し、同じく右辺の中央から後辺にかけて差込片４２を有する。左内側板１４と前側板１２とを結ぶ折り曲げ線６３に沿うように、差込片４１が嵌り込むスリット孔４３が設けられ、左外側板１６と後側板１３とを結ぶ折り曲げ線６５に沿うように、差込片４２が嵌り込むスリット孔４４が設けられている。また右上折曲片１９の後辺には差込片４５がが設けられ、右外側板１７と右底折曲片２１とを結ぶ折り曲げ線７０に沿うように、差込片４５が嵌り込むスリット孔４６が設けられている。
【００４３】
左外側板１６の前辺寄りの中央部には、指をかけて組立て式ファイルボックス２を引き寄せるための円孔５３が、同じく左内側板１４の後辺寄りの中央部にも指をかけて組立て式ファイルボックス２を引き寄せるための円孔５４が設けられている。二つの円孔５３、５４は、組立て式ファイルボックス２を組立てた際に、重なり合う位置に設けられている。
【００４４】
左内側板１４の後辺と左底折曲片２０の前辺との間、右内側板１５の後辺と右底折曲片２１の前辺との間には、組立て式ファイルボックス２を組立てる際の重ね代を考慮し、素材の厚さと同程度の隙間が設けられている。
【００４５】
次に、組立て式ファイルボックス２の組立て手順を説明する。
組立て式ファイルボックス２の組立て手順は、基本的に組立て式ファイルボックス１と同じである。組立て式ファイルボックス１と同様に、左底屈曲片２０及び右底折曲片２１が底板１１の上に載るように折り曲げ（図６参照）、続いて左内側板１４が左底折曲片２０の上に載り、かつ左外側板１６の内側になるように、右内側板１５が右底折曲片２１の上に載り、かつ右外側板１７の内側になるようにする（図７参照）。
【００４６】
続いて左上折曲片１８を左外側板１６と結ぶ折り曲げ線６７を起点に、内側に１８０°折り曲げる。これにより左上折曲片１８の凸状の差込片４１が、スリット孔４３に嵌り込み、左上折曲片１８の凸状の差込片４２が、スリット孔４４に嵌り込む。同様に、右上折曲片１９を右外側板１７と結ぶ折り曲げ線６８を起点に、内側に１８０°折り曲げる。これにより右上折曲片１９の凸状の差込片４５が、スリット孔４６に嵌り込む。
【００４７】
以上の要領で組立てられた組立て式ファイルボックス２は、組立て式ファイルボックス１と同様に左底折曲片２０、右底折曲片２１及び左上折曲片１８、右上折曲片１９が組立て状態を保持するように作用するので、各部を接着することなく組立て状態を維持することができる。また本組立て式ファイルボックス２は、さらに左上折曲片１８に設けられた差込片４１、４２がスリット孔４３、４３に嵌り込み、右上折曲片１９に設けられた差込片４５がスリット孔４６に嵌り込むことで組立て状態を確実に維持することができる。
【００４８】
本組立て式ファイルボックス２は、本組立て式ファイルボックス１と同様に、各部の形状がシンプルで構造が単純であり、さらに差込片、スリット孔の数も必要最小限に留められているため組立てが容易であり、また安価に製造することができる。
【００４９】
以上、第１及び第２実施形態の組立て式ファイルボックスを用いて本考案に係る組立て式ファイルボックスを説明したが、本考案に係る組立て式ファイルボックスは上記実施形態に限定されるものではない。当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００５０】
１  組立て式ファイルボックス
２  組立て式ファイルボックス
１１  底板
１２  前側板
１３  後側板
１４  左内側板
１５  右内側板
１６  左外側板
１７  右外側板
１８  左上折曲片
１９  右上折曲片
２０  左底折曲片
２１  右底折曲片
２２  中央折曲片
３１、３２  差込片
３３、３４  スリット孔
３５、３６  突起片
３７、３８、３９、４０  凹部
４１、４２  差込片
４３、４４  スリット孔
４５  差込片
４６  スリット孔
５１、５２  長穴
５３、５４  円孔
５５、５６  切れ込み
５７  凹部
６１、６２、６３、６４、６５  折り曲げ線
６６、６７、６８、６９、７０、７１  折り曲げ線
【図１】
0003199371.tif 000003
【図２】
0003199371.tif 000004
【図３】
0003199371.tif 000005
【図４】
0003199371.tif 000006
【図５】
0003199371.tif 000007
【図６】
0003199371.tif 000008
【図７】
0003199371.tif 000009
【図８】
0003199371.tif 000010